(57)【特許請求の範囲】
【請求項１】
鉄棒または鋼棒により螺旋状の枠筋体を形成し、該枠筋体の長手方向には適宜複数本の主筋材を架設し、型枠板を前記枠筋体に囲まれる空間部内に載置、係合させたことを特徴とする床鉄筋を備えた床用型枠板。
【請求項２】
前記枠筋体は、端面が正面略矩形または正面略方形をなす螺旋状に形成されることを特徴とする請求項１に記載の床用型枠板。
【請求項３】
前記枠筋体の周側部は型枠板に対応して設けられる切欠部内に配挿されることを特徴とした請求項１または請求項２の何れかに記載の床用型枠板。
【請求項４】
前記枠筋体には適宜ピッチ毎に正面略Ｖ字形，正面略三角形、正面略逆台形、正面略台形をなす補強筋を整列化して取付けたことを特徴とする請求項１、または請求項２、請求項３の何れかに記載の床用型枠板。
【請求項５】
主筋材に対して左右両側に連結手段を有する横筋材を適宜複数本配筋し、該横筋材は幅方向に隣接する相互が連結可能に設けられることを特徴とする請求項１、または請求項２、請求項３、請求項４の何れかに記載の床用型枠板。
【請求項６】
前記補強筋には電線、上水道、下水道のパイプまたは空調ダクトを支承するＶ字形または逆台形の収容凹部を所望個数形成したことを特徴とする請求項１、または請求項２、請求項３、請求項４、請求項５の何れかに記載の床用型枠板。
【請求項７】
型枠板は鉄板または鋼板にて形成され枠板本体の一側に上向きの傾斜接合片を形成し、枠板本体の他側には略山形をなす被傾斜接合片を下向きに形成し、前記傾斜接合片には隣接して一側に配列される型枠板の対向縁に設けた被傾斜接合片が上側から重合されて端縁が差込可能な差込捲回部が底部上面に形成され、型枠本体に設けた他側の前記被傾斜接合片には隣接して他側に配列される型枠板の対向縁に設けた傾斜接合片が下側から重合されて端縁が差込可能な差込捲回部が頂上部下面に形成されたことを特徴とする請求項１、または請求項２、請求項３、請求項４、請求項５、請求項６の何れかに記載の床用型枠板。
【請求項８】
前記枠筋体に吊具を介して被吊下部材を吊下可能に設け、該吊具は被吊下部材に固着される取付部材に螺挿されるねじ部を外周に設けた基杆部の上端に前記枠筋体に吊下可能なフックを形成したことを特徴とする請求項１、または請求項２、請求項３、請求項４、請求項５、請求項６、請求項７の何れかに記載の床用型枠板。
【発明の詳細な説明】
【０００１】
【発明の属する技術分野】
本発明は床鉄筋を備えた床用型枠板に関し、例えば鉄筋コンクリートにより形成されるビルの床、工場、倉庫の床や天井を構築する場合に最適に用いられ、配筋と型枠の組付けが迅速かつ効率的に行え、作業性の向上がはかれる。
【０００２】
【従来の技術】
従来、例えば鉄筋コンクリートにより形成されるビルの床を構築するのに、施工現場における施工性の効率化をはかるのと、運搬を簡便にするために予め工場において型枠板にコンクリート内に配筋される鉄筋部分を組付けた床用型枠板がある。
この床用型枠板には例えば図１１乃至図１３に示すものがあった。
すなわち、鋼棒よりなる正面略三角形の支筋材ａを適宜間隔に設け、該支筋材ａの頂上部に上端主筋材ｂと下方部には下方主筋材ｃとを長手方向Ｘ′にわたって架設し、上端主筋材ｂと下方主筋材ｃとの間に連続する三角トラス筋ｄを組付けた床配筋部Ａ′を型枠板ｅに固着したものである。また床配筋部Ａ′における支筋材ａ、上端主筋材ｂ、下方主筋材ｃ、三角トラス筋ｄよりなる部材相互の組付けや床配筋部Ａ′を型枠板ｅに対して固着するには、溶接により固着されていた。
【０００３】
【発明が解決しようとする課題】
図１１ないし図１３に示すような上記従来の床用型枠板は、工場において製作する場合に床配筋部Ａ′における正面略三角形の支筋材ａに上端主筋材ｂと下方主筋材ｃとを溶接したり、上端主筋材ｂと下方主筋材ｃとの間に三角トラス筋ｄを溶接するのと、床配筋部Ａ′に型枠板ｅを溶接するのに熟練した溶接技術を必要とし、組付および製作に多くの時間と手間がかかり生産効率が低かった。
しかも、工場から施工現場への運搬性を容易にする観点から床用型枠板の全体重量を軽量化するために型枠板ｅに用いる鉄板や鋼板材自体が板厚の厚いものを用いるわけにはいかず、通常１ｍｍ以下の薄いものを用いていた。従って型枠板ｅに床配筋部Ａ′を溶接すると、鉄板や鋼板材が溶接時の高熱のために溶けて孔があいてしまい、コンクリート打設時にコンクリートが孔から抜け出すという欠陥品を生じたり、又は鉄板が剥離して落下する等の歩留りが低い粗製品となっていた。
本発明は上記従来の欠点を解決し、多くの時間と手間がかからず迅速にかつ効率良く製作および組付が行え、また型枠板に孔があく等の欠陥品にならずに高精度の信頼性が高い製品が得られるとともに歩留りが良く、製作コストが安価な床鉄筋を備えた床用型枠板を提供しようとする。
【０００４】
【課題を解決するための手段】
本発明は上記課題に鑑みなされ、その請求項１は鋼棒により螺旋状の枠筋体を形成し、該枠筋体の長手方向には適宜複数本の主筋材を架設し、型枠板を前記枠筋体に囲まれる空間部内に載置、係合されたことを特徴とするという手段を採用した。
【０００５】
また本発明の請求項２は、請求項１において前記枠筋体は、端面が正面略矩形または正面略方形をなす螺旋状に形成されるという手段を採用した。
【０００６】
また本発明の請求項３は、請求項１または請求項２の何れかにおいて前記枠筋体の周側部は型枠板に対応して設けられる切欠部内に配挿されることを特徴とするという手段を採用した。
【０００７】
また本発明の請求項４は、請求項１、または請求項２、請求項３の何れかにおいて前記枠筋体には適宜ピッチ毎に正面略Ｖ字形、正面略三角形、正面略逆台形、正面略台形をなす補強筋を整列化して取付けたことを特徴とするという手段を採用した。
【０００８】
また本発明の請求項５は、請求項１、または請求項２、請求項３、請求項４の何れかにおいて主筋材に対して左右両側に連結手段を有する横筋材を適宜複数本配筋し、該横筋材は幅方向に隣接する相互が連結可能に設けられるという手段を採用した。
【０００９】
また本発明の請求項６は、請求項１、または請求項２、請求項３、請求項４、請求項５の何れかにおいて前記補強筋には電線、上水道、下水道のパイプまたは空調ダクトを支承するＶ字形または逆台形の収容凹部を所望個数形成したことを特徴とするという手段を採用した。
【００１０】
また本発明の請求項７は、請求項１、または請求項２、請求項３、請求項４、請求項５、請求項６の何れかにおいて型枠板は鉄板や鋼板にて形成され枠板本体の一側に上向きの傾斜接合片を形成し、型枠板の他側には略山形をなす被傾斜接合片を下向きに形成し、前記傾斜接合片には隣接して一側に配列される型枠板の対向縁に設けた被傾斜接合片が上側から重合されて端縁が差込可能な差込捲回部が底部上面に形成され、型枠本体に設けた他側の前記被傾斜接合片には隣接して他側に配列される型枠板の対向縁に設けた傾斜接合片が下側から重合されて端縁が差込可能な差込捲回部が頂上部下面に形成されたことを特徴とするという手段を採用した。
【００１１】
また本発明の請求項８は、請求項１、または請求項２、請求項３、請求項４、請求項５、請求項６、請求項７の何れかにおいて前記枠筋体に吊具を介して被吊下部材を吊下可能に設け、該吊具は被吊下部材に固着される取付部材に螺挿されるねじ部を外周に設けた基杆部の上端に前記枠筋体に吊下可能なフックを形成したことを特徴とするという手段を採用した。
【００１２】
【発明の実施の形態】
以下、本発明の実施の形態の具体例を図面を参照して説明する。
図１ないし図６に従って本発明の第１実施態様を説明する。
１は鉄棒や鋼棒により螺旋状に形成される枠筋体であり、この枠筋体１は構築すべき床面積の広狭によって異なるが、本実施態様では全体長さＬが例えば６ｍ程度であり、ピッチｔは１ｍ程度に形成され、端面が例えば図３に示すように正面略矩形に形成されるか、または図には示さないが正面略方形に形成される。また図３に示す正面略矩形の枠筋体１の高さｈは本実施例では４００ｍｍ程度、また横方向（長手方向Ｘに交又する方向Ｙ）の長さｌは６００ｍｍ程度である。
また枠筋体１を形成するのに使用される鉄棒や鋼棒としては、例えばＤ５の太さの鋼棒が使用される。この枠筋体１の高さｈと長さｌは構築される建物の構造により自由に選択される。
【００１３】
２は枠筋体１の長手方向Ｘに適宜複数本、図１、図２、図３では枠筋体１に囲まれる空間部Ｋ内において天井部に４本、下方内側面に平行して２本、後記補強筋３に対向して左右に１本づつの合計８本が架設された主筋であり、この主筋２はＤ１０〜Ｄ１３の太さのものが使用される。
【００１４】
３は前記枠筋体１に適宜ピッチｔ毎に整列化して取付けられる適宜形状をなす本実施態様では図３に示すような正面略Ｖ字形の補強筋であり、この補強筋３を形成するには枠筋体１と同様Ｄ５の太さの鋼棒が使用される。そして、補強筋３を枠筋体１に取付けるには、枠筋体１に対する交又個所を例えば溶接により取付ける。
３ａは補強筋３に所望個数が形成された収容凹部であり、この収容凹部３ａは例えば図３に示すように電線を挿通したり、または上水道、下水道のパイプＰ，さらには空調ダクトを挿通して支承することにより施工時にコンクリートＣを枠筋体１の空間部Ｋ内に打設する際に出来上がる床４内に配管されるようになっている。
【００１５】
５は前記枠筋体１に囲まれる空間部Ｋ内に載置、係合される型枠板であり、この型枠板５は鉄板や鋼板にて形成され枠板本体５Ａの一側に上向きの傾斜接合片６を形成し、前記傾斜接合片６には隣接して一側に配列される型枠板５の対向縁に設けた略山形の被傾斜接合片７が上側から重合されて端縁７ａが差込可能な差込捲回部８が底部上面に形成される。また、型枠本体５Ａの他側には略山形をなす被傾斜接合片７を下向きに形成し、この前記被傾斜接合片７には隣接して他側に配列される型枠板５の対向縁に設けた傾斜接合片６が下側から重合されて端縁６ａが差込可能な差込捲回部９が頂上部下面に形成される。そして、施工時に連続して梁Ｔに敷かれる型枠板５の枠板本体５Ａの一側に設けた傾斜接合片６には隣接される型枠板５の被傾斜接合片７が重合されることにより傾斜接合片６に設けた差込捲回部８には被傾斜接合片７の端縁７ａが、しかも被傾斜接合片７に設けた差込捲回部９には傾斜接合片６の端縁６ａがそれぞれ差込まれることにより型枠板５，５…が図３、図５に示すように相互に隣接して敷き込まれる場合に、コンクリートＣを型枠板５の上に打設するのに型枠板５相互間に形成される継目からコンクリートＣが垂れ落ちるのを防止するようになっている。
５ａは枠筋体１の空間部Ｋ内に型枠板５を係合、載置するために、型枠板５の周縁に対応して設けられた切除部であり、この切除部５ａは枠筋体１の周側部を挿入するためのものである。
【００１６】
図６において１０は前記枠筋体１の下面に吊下可能に設けられる吊具であり、この吊具１０は例えば床４の下方に取付けられる天井材１１等の被吊下部材を吊下げるためのものである。この吊具１０は被吊下部材の上面に固着される取付部材１２に螺挿されるねじ部１３ａを外周に設け基杆部１３の上端に前記枠筋体１に吊下可能なフック１３ｂを形成している。
【００１７】
本発明の一実施態様は以上の構成からなり、例えば鉄筋コンクリートにより形成される建設中のビルにコンクリートの床４を構築するには、先ず梁Ｔ間において、鉄棒や鋼棒により形成される螺旋状の枠筋体１の空間部Ｋ内に載置、係合された多数の型枠板５，５…を長手方向Ｘおよび長手方向Ｘに交又する方向Ｙに連続して敷き並べる。
【００１８】
この際、型枠板５は、鉄板や鋼板にて形成され枠板本体５Ａの一側に上向きの傾斜接合片６を形成し、枠板本体５Ａの他側には略山形をなす傾斜被接合片７が形成され、前記傾斜接合片６には隣接して一側に配列される型枠板５の対向縁に設けた被傾斜接合片７が上側から重合されて差込捲回部８が底部上面に形成され、また型枠本体５に設けた前記被傾斜接合片７には隣接して他側に配列される型枠板５の対向縁に設けた傾斜接合片６が下側から重合されて端縁６ａが差込可能な差込捲回部９が頂上部下面に形成されているので、型枠板５の型枠本体５Ａの一側に設けた傾斜接合片６には隣接される型枠板５の被傾斜接合片７が重合されることにより傾斜接合片６に設けた差込捲回部８には被傾斜接合片７の端縁７ａが、しかも被傾斜接合片７に設けた差込捲回部９には傾斜接合片６の端縁６ａが相互に密に差込まれることにより型枠板５，５は図３に示すように相互に隣接して敷き並べられる。
【００１９】
このように型枠板５，５…は長手方向Ｘに交又する方向Ｙに左右の端縁６ａ，７ａ；７ａ，６ａが密に接合されるので、コンクリートＣを型枠板５，５…上に打設した場合に、長手方向Ｘに交又する方向Ｙに形成される継目からコンクリートＣが垂れ落ちるのを防止することができる。従って従来の型枠板のように、敷き並べられる隣接する型枠板相互間に設けられた間隙からコンクリートＣが流れ落ちることがなくなるので、コンクリートＣが付着して固まった後の掻き落とし作業に要する手間が省けるとともに綺麗な仕上がりの工事が行える。
【００２０】
ところで、型枠板５は、鉄棒や鋼棒により螺旋状に形成される枠筋体１の周側部が対応して設けられた切欠部５ａ，５ａ；５ａ，５ａ…に配挿されることにより枠筋体１の空間部Ｋ内に載置、固定されるので、型枠板５は従来のように枠筋体１に溶接しないで済むから、型枠板５が１ｍｍ以下の薄い鋼板により形成されても型枠板５には溶接時の高熱によって孔があくことはない。このため、この孔を通じてコンクリートの打設時にコンクリートが孔から抜け出すことがなくなり、又は鉄板が落下することがなくなり、欠陥品を生ぜず、歩留りが高い製品になる。
このようにして、鉄筋コンクリートにより形成されるビルの床４が構築される。
【００２１】
また本実施態様の床用型枠板は、配筋部が鉄棒や鋼棒により螺旋状に形成される枠筋体１と、この螺旋状の枠筋体１に囲まれる空間部Ｋ内の長手方向Ｘには天井部に４本、下方内側面に平行して２本、補強筋３に対向して左右１本づつの合計８本の主筋材２とにより形成されるので、例えば正面略三角形の支筋材ａの上下に上端主筋材ｂと下方主筋材ｃとを配筋し、上端主筋材ｂと下方主筋材ｃとの間に連続する三角トラス筋ｄを配筋した従来の床用型枠板とは異なり配筋材相互を溶接しないで組付けずに済み、製作は容易である。
【００２２】
このうち枠筋体１は、構築すべき床面積の広狭によって異なるが、Ｄ５の太さの鉄棒や鋼棒を用いて全体長さＬが６ｍ程度、ピッチｔは１ｍ程度の螺旋状に形成され、しかもこの枠筋体１には適宜ピッチｔ毎、図１では各ピッチｔに正面略Ｖ字形の補強筋３の交又個所が溶接され、さらに枠筋体１の空間部Ｋ内に配筋される主筋材２はＤ１０〜Ｄ１３の鋼棒を用いて形成され天井部に４本、下方部内側に平行して２本、補強筋３には対向して左右１本づつの合計８本が架設されて枠筋体１に対する交又部を溶接して組付けられているので、型枠板５にコンクリートＣを打設することにより構築される床４は構造堅牢になる。
この時、特に主筋材１は、軸長方向Ｘの圧縮力、引張力に対して高抗性を発揮する。また螺旋状の枠筋体１および該枠筋体１に交又個所が溶接される補強筋３は、軸長方向Ｘに交又する方向Ｙの圧縮力、引張力、圧縮力、曲げや捻じれに対して高抗性を発揮する。
【００２３】
また枠筋体１は前述のように、そのピッチｔが例えば１ｍ程度の螺旋状に形成されるので、施工現場において枠筋体１に主筋材２や補強筋３を溶接することにより取付ける場合に、螺旋間隙から溶接具を挿入して溶接作業が余裕をもって迅速かつ効率的に行える。
【００２４】
また図３に示すように、枠筋体１に取付けられる補強筋３には図３では所望個数、例えば１個のＶ字形の収容凹部３ａが形成され、この収容凹部３ａ内にパイプＰが長手方向Ｘに挿入して支承されるので、このパイプＰ内に電線（図には示さず）を挿通することにより床４の下面に電線を配索したり、上水道、下水道の敷設が容易に行え、さらには空調ダクトを支承するのに好適である。
【００２５】
また図６に示すように、枠筋体１の下面にフック１３ｂを介して吊下げられ、基杆部１３の外周に設けたねじ部１３ａを被吊下部材としての天井材１１に固着される取付部材１２に螺挿するようにすれば、床４の下方に吊具１０を介して天井材１１を迅速かつ確実に張設することができる。
【００２６】
図７に示すものは本発明の第２実施態様であり、この実施態様では螺旋状をなす枠筋体１に適宜ピッチｔ毎に整列化して取付けられる補強筋３が、正面略三角形に形成されるほかは前記第１実施態様と同様の構成、作用・効果を奏する。また図８では補強筋３が正面略逆台形、さらに図９では補強筋３が正面略台形に形成されることにより螺旋状の補強筋３に取付けられるようにした点が前記第１実施態様と異なる構成であるほかは、同様の作用・効果を奏する。
【００２７】
また図１０に示すものは本発明の第５実施態様を示す。
この実施態様では、予め工場において螺旋状の枠筋体１の長手方向Ｘに架設した適宜複数本の主筋材２に対して交又して横筋材５０を溶接したり、または結着する等の適宜固着手段により適宜本数配筋し、該横筋材５０は一側に雄状係止部５１ａを設け、他側には雌状係止部５１ｂを設ける構成により施工現場にて床用型枠板を連続して敷き並べることによって幅方向（長手方向Ｘに交又する方向Ｙ）に隣接する床用型枠板相互において横筋材５０の一側に設けた雌状係止部５１ｂに隣接する一側の床用型枠板の対応する雄状係止部５１ａを係入するとともに横筋材５０の他側に設けた雄状係止部５１ａを隣接する他側の床用型枠板の対応する雌状係止部５１ｂ内に係入することにより横筋材５０，５０…相互を長手方向Ｘの主筋材２，２…に交又する方向Ｙに連結することにより構造材を主筋材２，２…と横筋材５０，５０…とにより縦横に形成することによって前記各実施態様よりも圧縮または引張り等の外力に対して構造堅牢になす点が各実施態様とは異なる構成、効果である。
なお、図示では上段の主筋材２，２…のみに交又して横筋材５０，５０…を配筋しているが、下段の主筋材２，２…にも横筋材５０，５０…は配筋される。また横筋材５０の一側に設ける雄状係止部５１ａと他側に設ける雌状係止部５１ｂとの形状は図に示すものに限らず、要は相互に連結可能なものであればよい。
【００２８】
上記各実施態様では、枠筋体１は、端面が正面略矩形に形成されたものが図示されているが、これに限らず正面略方形の螺旋状に形成されても良く、端面形状は自由に設計変更されてもよい。また枠筋体１の螺旋方向は図示するものに限ることなく、反対の捲回方向に捲回されるものであってもよい。
【００２９】
また枠筋体１に取付けられる補強筋３は、枠筋体１の各ピッチｔ毎に取付けられているが、補強筋３の取付ピッチは変更が自由である。
【００３０】
また上記実施態様では、枠筋体１に囲まれる空間部Ｋ内に載置、係合される型枠板５は偏平な鉄板や鋼板により形成されているが、型枠板５の形状はこれに限ることなく、例えば図には示さないが左右に側板を設けたものであってもよい。
【００３１】
【発明の効果】
本発明の請求項１は、鉄棒や鋼棒により螺旋状の枠筋体を形成し、該枠筋体の長手方向には適宜複数本の主筋材を架設し、型枠板を前記枠筋体に囲まれる空間部内に載置、係合させたので、多くの時間と手間がかからず迅速にかつ効率良く床用型枠板の製作および組付けが行え、また型枠板を配筋部に組付けるのに溶接をしなくても済むため型枠板は孔があく等の欠陥品にならずに高精度の信頼性が高い製品が得られるとともに歩留りが良く、製作コストが安価になる。
【００３２】
また本発明の請求項２は請求項１において前記枠筋体は、端面が正面略矩形または正面略方形をなす螺旋状に形成されるので、敷きつめ作業をした場合に安定して施工が行えるとともに隣接する枠筋体相互間の間がつまり、大きい強度の配筋構造体が形成できる。
【００３３】
また本発明の請求項３は、請求項１または請求項２の何れかにおいて前記枠筋体の周側部は型枠板に対応して切欠部が設けられるので、この切欠部内に配筋体の周側縁が配挿されることにより、容易かつ確実に型枠板を枠筋体内の空間部へ載置、係合することができる。
【００３４】
また本発明の請求項４は、請求項１、または請求項２、請求項３の何れかにおいて前記型枠体には適宜ピッチ毎に正面略Ｖ字形、正面略三角形、正面略逆台形、正面略台形をなす補強筋を整列化して取付けたので、特に軸長方向に交又する引張力、圧縮力、曲げ、捻じり等に対して抗力を発揮し、構造堅牢になる。
【００３５】
また本発明の請求項５は、請求項１、または請求項２、請求項３、請求項４の何れかにおいて主筋材に対して左右両側に連結手段を有する横筋材を適宜複数本配筋し、該横筋材は幅方向に隣接する相互が連結可能に設けられるので、構造材として主筋材と横筋材とが縦横に配筋され、圧縮および引張りに対して構造堅牢になる。
【００３６】
また本発明の請求項６は、請求項１、または請求項２、請求項３、請求項４、請求項５の何れかにおいて前記配筋体は少なくとも数ピッチに電線、上水道、下水道のパイプまたは空調ダクトを支承するＶ字形または逆台形の収容凹部を所望個数形成したので、ブッシュや取付具を用いることなく、鉄筋コンクリートの床下面に電線、上水道、下水道、空調ダクト等を迅速かつ確実に配索して敷設が行える。
【００３７】
また本発明の請求項７は、請求項１、または請求項２、請求項３、請求項４、請求項５、請求項６の何れかにおいて型枠板は鉄板や鋼板にて形成され枠板本体の一側に上向きの傾斜接合片を形成し、枠板本体の他側には略山形をなす傾斜接合片を下向きに形成し、前記傾斜接合片には隣接して一側に配列される型枠板の対向縁に設けた被傾斜接合片が上側から重合されて端縁が差込可能な差込捲回部が底部上面に形成され、型枠本体に設けた他側の前記被傾斜接合片には隣接して他側に配列される型枠板の対向縁に設けた傾斜接合片が下側から重合されて端縁が差込可能な差込捲回部が頂上部下面に形成されたので、型枠板を相互に隣接して敷詰めてコンクリートを打設する場合に、型枠板相互間には継目が生ずることがなくコンクリートが流れ落ちるのが防止される。
【００３８】
また本発明の請求項８は、前記枠筋体に吊具を介して被吊下部材を吊下可能に設け、該吊具は被吊下部材に固着される取付部材に螺挿されるねじ部を外周に設けた基杆部の上端に前記枠筋体に吊下可能なフックを形成したので、天井材等の被吊下部材を吊下げて張設するのに便利である。
【図面の簡単な説明】
【図１】本発明の床鉄筋を備えた床用型枠板の第１実施態様を示す斜視図である。
【図２】同じく本実施態様を示し、型枠板を取外した配筋部を示す斜視図である。
【図３】同じく本実施態様の床鉄筋を備えた床用型枠板の敷設状態を示す横断面図である。
【図４】同じく本実施態様の床鉄筋を備えた床用型枠板の敷設状態を示し、コンクリートを打設前の縦断面図である。
【図５】同じく本実施態様を構成する型枠板の接合状態を説明的に示した拡大横断面図である。
【図６】同じく本実施態様の型枠板に吊具を介して被吊下物を吊下げた状態の敷設状態を示す横断面図である。
【図７】本発明の床鉄筋を備えた床用型枠板の第２の実施態様を示す拡大横断面図である。
【図８】同じく本発明の床鉄筋を備えた床用型枠板の第３の実施態様を示す拡大横断面図である。
【図９】同じく本発明の床鉄筋を備えた床用型枠板の第４の実施態様を示す拡大横断面図である。
【図１０】同じく本発明の床用型枠板の第５の実施態様を示す斜視図である。
【図１１】従来の床用型枠板の一例を示す斜視図である。
【図１２】同じく敷設状態を示す横断面図である。
【図１３】同じく縦断面図である。
【符号の説明】
１      枠筋体
２      主筋材
３      補強筋
３ａ    収容凹部
４      床
５      型枠板
６      傾斜接合片
７      被傾斜接合片
８      差込捲回部
９      差込捲回部
１０    吊具
１１    天井材
５０    横筋材
５１ａ  雄状係止部
５１ｂ  雌状係止部
Ｃ      コンクリート
Ｐ      パイプ
【図１】
0003588442.tif 000002
【図２】
0003588442.tif 000003
【図３】
0003588442.tif 000004
【図４】
0003588442.tif 000005
【図５】
0003588442.tif 000006
【図６】
0003588442.tif 000007
【図７】
0003588442.tif 000008
【図８】
0003588442.tif 000009
【図９】
0003588442.tif 000010
【図１０】
0003588442.tif 000011
【図１１】
0003588442.tif 000012
【図１２】
0003588442.tif 000013
【図１３】
0003588442.tif 000014